(57)【特許請求の範囲】
【請求項１】
人体を仰臥状に支持する支持台を昇降自在の昇降杆の先端で支持し、前記支持台の前後両側には、手孔付きの側板を設け、中央部には、左右方向に人体の仰臥の背形に見合う湾曲部を設け、前記昇降杆の下端はスプリングにより支持すると共に、前記支持台に、ストローク可変の昇降手段を付設し、前記スプリングは、前記支持台の最高位置と最低位置との中間部で、前記支持台に乗せる人体の体重と釣り合う弾力を保たせたことを特徴とする按摩装置。
【請求項２】
前記湾曲部の凹凸形状は平均的形状の底部上へ、大、中、小の当て板を着脱できるようにセットしたことを特徴とする請求項１記載の按摩装置。
【発明の詳細な説明】
【技術分野】
【０００１】
この発明は全身按摩（加圧力に重力変化付加）することにより、疲労回復及び気分転換をさせることを目的とした按摩装置に関する。
【背景技術】
【０００２】
従来使用されている全身按摩装置は、例えばソファー式の按摩装置であって、マットの下に加圧子（例えばローラ）を収容し、前記ローラの回転により人体の各部へ刺激を与え、按摩効果を得ていた。またソファーの背もたれに設けた振動装置を設け、又は背部にもみ作用を与えるものなど幾多の装置がある。
【特許文献１】実公平７−１０７４８
【発明の開示】
【発明が解決しようとする課題】
【０００３】
前記従来の按摩装置は、腰部、肩部又は背部などを局部的に按摩するものであり、全身に同時に行なう按摩は勿論のこと、重力変化を考慮するなどの発想がなかったので、全身連続加療のできない問題点があった。
【課題を解決するための手段】
【０００４】
この発明は、人体を仰臥状に支持したまま、人体を上下させることにより人体に掛る重力に変化を与え、全身を不均等按摩して前記従来の問題点を解決したのである。
【０００５】
即ち装置の発明は、人体を仰臥状に支持する支持台を昇降自在の昇降杆の先端で支持し、前記支持台の前後両側には、手孔付きの側板を設け、中央部には、左右方向に人体の仰臥の背形に見合う湾曲部を設け、前記昇降杆の下端はスプリングにより支持すると共に、前記支持台に、ストローク可変の昇降手段を付設し、前記スプリングは、前記支持台の最高位置と最低位置との中間部で、前記支持台に乗せる人体の体重と釣り合う弾力を保たせたことを特徴とする按摩装置であり、前記湾曲部の凹凸形状は平均的形状の底部上へ、大、中、小の当て板を着脱できるようにセットしたことを特徴とする請求項１記載の按摩装置である。
【０００６】
この発明の装置は、人体を仰臥状にして、腰部、背部及び肩部を支持台により支持し、この支持台を上下させて、支持された部分に強さの変化する繰り返し加圧力を加えると共に、前記支持台の上下により、人体に重力による加圧力の変化を与えることを特徴とした按摩装置の使用方法であり、人体を仰臥状にして、腰部、背部及び肩部を支持台により支持し、この支持台を上下させて支持された部分に強さの変化する繰り返し加圧力を加えると共に、前記支持台に振動を付与し、かつ前記支持台の上下により、人体に重力による加圧力の変化を与えることができるように使用する。
【０００７】
前記における昇降ストロークは例えば２０ｍｍ〜３００ｍｍ、昇降回数は毎秒０．２回〜２．０回とする。
【０００８】
前記装置の高さは、原則として按摩中に、手又は足が床上へつかない程度であって、例えば１２００ｍｍ〜１６００ｍｍとする。
【０００９】
前記按摩装置は、３分間使用し、３０分間休むような使用方法をとり、１時間に２回程度とすることが好ましい。
【００１０】
また支持台の上面形状は、例えば人が荷を負い、上半身の背中を丸めるようなラインを想定して、ライン角度を例えば１８０度〜２４０度に保つようにする。
【発明の効果】
【００１１】
この発明によれば全身を按摩すると共に、無重力又は加重力体験によって通常状態と異常状態を交互に繰り返し、身体各部の賦活と、疲労を回復し得るなどの諸効果がある。
【発明を実施するための最良の形態】
【００１２】
この発明は、人体を仰臥状態で支持し、そのまま強制昇降させて按摩する。この場合に腰部、背部、肩部などは、夫々均等圧で加圧すべく、支持台の支持面を凸弧状に形成してある。
【００１３】
前記昇降速度及び昇降ストロークは調節できると共に、単位時間当たりの昇降回数も調節し、種々様々の按摩ができるように選定することができる。
【００１４】
この発明の装置は、受圧面を人体の背面形状にフィットするように成形した支持台を支持杆で昇降自在に支持し、前記支持台の下部へロッドの上端を回転自在に取付けると共に、前記ロッドの下端を水平転の回転板へ偏心して回転自在に取り付けたものである。
【００１５】
前記支持台のストロークは、偏心量により定まり、昇降速度は回転板の回転数により定まる。そこで、ストロークは偏心量を手動調節し、回転数は、回転板の軸と連動するモータの回転数を制御することにより調節できる。
【実施例１】
【００１６】
この発明の実施例を図１、２について説明すると、ベース板１上に２本の案内管２、２を、支持台３を支持できる位置に立設固定し、前記案内管２、２内へスプリング４を夫々収容し、該スプリング４の上部へ昇降杆５、５の下端を当接し、昇降杆５、５の上端に設けた支持板５ａ、５ａを前記支持台３の下面へ固定する。
【００１７】
前記ベース板１上へモータ６を載置し、モータ６の軸６ａへ回転板７を固定し、該回転板７へ半径方向の溝８を設けて（図２）、この溝８内へねじ杆９を架設し、ねじ杆９に取付軸１０の基部を螺合させる。
【００１８】
前記取付軸１０の先端側へロッド１１の下端部を回転自在に取り付け、前記ロッド１１の上端部を前記支持台３の下面へ軸１２で回転自在に取付けて、この発明の按摩装置１５を構成した。図中１３は覆板、１４は踏板である。
【００１９】
前記按摩装置１５を使用するには、踏板１４を使用して前記支持台３上へ人体１６を仰臥させ、図１図示のように手足を自由にし、要すればバンド１７で人体１６を支持台３に縛着してから、モータ６のスイッチを入れると、モータ軸６ａの回転につれて、回転板７が矢示１８の方向に回転し（図１）、ロッド１１が矢示１９の方向へ上昇し、ついで矢示２０の方向へ下降する。
【００２０】
前記スプリング４は、２本でロッド１１の上死点（最上部）と下死点（最下部）の中間部で、人体重量（例えば６０ｋｇ）を支持し得る弾力にしてあるので、前記ロッド１１の昇降に要する力は有効に補助される（支持台の上昇時、下降時に夫々加える力が変化する）。
【００２１】
前記支持台３の両側には、人体１６の移動を防止する為に手孔２２付の側板２１、２１が設けられ、中央部には前後方向に人体１６の仰臥の背形に見合う湾曲部３ａ、３ｂが凹凸形状に形成されている。
【００２２】
前記凹凸形状は、人体の体格により大差があるので、例えば平均的形状の底部上へ、大、中、小などの種類の当て板（弾性材）２３を着脱できるようにセットすることもできる。前記実施例におけるストロークは、ロッド１１の下端と、回転板７との取付け位置により調節することができる。前記ねじ杆９を右又は左へ回転すれば、取付軸１０が図２（ａ）中矢示２４又は２５の方向へ移動する。
【００２３】
前記踏板１４は、ベース板１に取付けられ、不使用時には矢示２６のように垂直位置まで回転し、足先の邪魔にならないようにしてある。
【実施例２】
【００２４】
この発明の他の実施例を図３、４について説明すると、ベース板１の中央部にエアシリンダ２７を縦に設置し、該エアシリンダ２７に下部側を嵌挿したロッド２８の上端部を、支持台３の下面に固定して、この発明の按摩装置３０を構成した。
【００２５】
前記エアシリンダ２７の底部と、ロッド２８の下端との間にスプリング２９を介装し、エアを抜いた場合のクッションとしている。
【００２６】
前記実施例において、支持台３上へ人体１６を仰臥させた後、パイプ３１より矢示３２のように加圧エアを給送すると、ロッド２８が矢示３３のように上昇する。
【００２７】
またパイプ３１を大気中に開くと、エアシリンダ２７内の加圧エアが排出されるので、ロッド２８は矢示３４のように下降する。
【００２８】
そこで加圧エアの給送と、排気を繰り返せば、支持台３を昇降させることができる。また、加圧エアの給送時間を長短調節することにより、ロッド２８の昇降ストロークを自由に調節することができる。前記において、エアシリンダ２７の上部にパイプ３５を連結し、加圧エアを給送すれば、ロッド２８の下降についても調節することができる。
【００２９】
また加圧エアの圧力調節によって、昇降時間を調節することができるので、コンプレッサー（図示していない）を遠隔制御することにより、ストロークと速度をコントロールできることになり、患者が簡単な操作をするのみで、好みの状態で治療を受けることができる。
【００３０】
図４の実施例は、支持台３を長くして、人体１６の足部及び頭部が支持台３上へ乗るようにしたものである。
【００３１】
この実施例は、図１の同様の昇降杆５、案内管２及びロッド１１を有し、矢示１９、２０のように昇降するように構成されている。図中θは１８０度〜２４０度であり、２１は側板、２２は手孔であって、支持台３の昇降動作は図１の実施例と同一に付、その説明を省略した。
【００３２】
前記実施例１はクランク方式、実施例２はエアシリンダ方式で支持台を昇降したが、その他にもねじ方式（ラック・ピニオン又は回転ねじ）その他公知の昇降装置は何れも使用することができる。
【図面の簡単な説明】
【００３３】
【図１】（ａ）この発明の実施例の一部を省略した正面図、（ｂ）同じく一部を断面した側面図。
【図２】（ａ）同じく回転板とロッドの関係を示す説明図、（ｂ）同じく（ａ）の側面を示す説明図。
【図３】（ａ）同じく他の実施例の正面図、（ｂ）同じく側面図。
【図４】同じく他の実施例の一部正面図。
【符号の説明】
【００３４】
１  ベース板
２  案内管
３  支持台
４  スプリング
５  昇降杆
６  モータ
７  回転板
８  溝
９  ねじ杆
１０  取付軸
１１  ロッド
１２  軸
１３  覆板
１４  踏板
１５  按摩装置
１６  人体
２３  当て板
２７  エアシリンダ
２８  ロッド
２９  スプリング
３０  按摩装置
３１  パイプ
【図１】
0004645969.tif 000002
【図２】
0004645969.tif 000003
【図３】
0004645969.tif 000004
【図４】
0004645969.tif 000005